(57)【要約】【課題】  カップ形状の容器に封入された内容物を、例えばペットフードをペットの嗜好性が高まる温度に加熱できる加熱装置及び容器を提供する。【解決手段】  本体ケースに容器の外面に沿った形状の金属製の収納具が、容器の外面と接する面を外側に向けて配置され、容器センサーと本体ケース内に保温材とヒーターと温度センサーと温度制御部とタイマー回路とを備え、本体ケースの外側にディスプレイと操作スイッチとが配置されている加熱装置及び容器を提供する。【選択図】図１
2016101215.tif 000002
【特許請求の範囲】
【請求項１】
本体ケースには、少なくとも一つの容器入り内容物を収容できる前記容器の外面に沿った形状の金属製の収納具が、前記容器の外面と接する面を外側に向けて配置され、
前記金属製の収納具には前記容器が収容されたことを検出するセンサーがあり、
前記本体ケース内に、
前記収納具の外面を包むように配置された保温材と、
前記保温材中にあって、前記収納具の外面と近接する位置に配置された少なくとも一つのヒーターと、
前記ヒーターによって加熱された前記収納具の温度を測るための少なくとも一つの温度センサーと、
前記温度センサーからの出力値を元に前記ヒーターへの加温電流の供給を制御する温度制御部と、
設定した時刻にペットフードが所定温度に到達するように前記温度制御部に動作開始を命令するタイマー回路と、
を備え、
前記本体ケースの外側に、
設定温度やタイマーの設定時間を表示するディスプレイと、
加熱温度の設定やタイマーの時刻設定をするための操作スイッチと、
が配置された、
前記収納具からの熱伝導により、前記容器内の内容物を所定の温度に加熱可能な加熱装置。
【請求項２】
前記本体ケースの外側には、さらに
前記収納具に向き合う面に保温材が配置された蓋と、
前記蓋の保温材表面に少なくとも一つの温度センサーと、
が配置されたことを特徴とする請求項１記載の加熱装置。
【請求項３】
前記収納具が、
カップ形状の底部中央が盛り上がった断面がＷ型の形状であることを特徴とする請求項１または２に記載の加熱装置。
【請求項４】
前記所定の温度が、３０〜４０℃であることを特徴とする請求項１〜３何れかに記載の加熱装置。
【請求項５】
前記ディスプレイが反射型表示体で構成にガラスを使用していないことを特徴とする請求項１〜４何れかに記載の加熱装置。
【請求項６】
カップ形状の底部中央が盛り上がった断面がＷ型の形状であることを特徴とする容器。
【請求項７】
請求項６記載の容器にペットフードの内容物が収納されていることを特徴とする容器入りペットフード。
【発明の詳細な説明】
【技術分野】
【０００１】
本発明は、ペットフードをペットに与える等の理由で、容器入り内容物を適温に加熱する加熱装置及びこの加熱装置での使用に適した形状の容器、および容器入りペットフードに関する。
【背景技術】
【０００２】
容器入り内容物を適温に加熱することが求められる場合が存在していた。
【０００３】
例えば、愛玩動物（ペット）に与える専用食のペットフードは、ペットの種類や体格や年齢などに応じて様々な食材や栄養素を混合して加工したものであり、その性状もドライタイプ、セミウェットタイプ、ウェットタイプなど異なるものが存在している。
【０００４】
ドライタイプやセミウェットタイプのペットフードは一般的には数キロ単位でガスバリア性能のあるフィルムなどで加工された袋や箱に入れられて販売されており、ペットの飼い主はここから必要量をとりだしてペットに与えている。また、保存時の管理を簡単にするために一食分が個包装された物もある。
【０００５】
一方、ウェットタイプのペットフードはアルミ缶やスチール缶などの缶詰が一般的であるが、環境思考の高まりにより重量軽減による輸送コストの削減や空き容器の処理のし易さなどから、ガスバリア加工が施されたプラスチックカップやレトルトパウチに一食分が入れられた物に置き換わりつつある。
【０００６】
従来、プラスチックカップやレトルトパウチに使われるガスバリア層にはアルミニウム箔などを含むフィルムが使われていたが、近年、金属酸化物薄膜などをガスバリア層として用いて電子レンジによる加熱を可能としたレトルト食品包装用フィルムが開発されている。
【０００７】
ところで、動物には餌を食する際に最も嗜好性の優れる適温が存在している。猫を例とすると、幼猫の時期には母猫の体温の母乳で育ち、離乳時には母猫が吐き戻した餌が与えられる。成猫になるとネズミや鳥などの小動物を捕まえて食べることから、これらの温度に温めた餌は食い付きが良く食べ残しも少なくなる。
【０００８】
そこで、電子レンジを使ってペットフードを加熱する際に、ペットにとって最適な温度に到達したことを判別するために、温度変化により色相変化をする材料を表面に有する電子レンジ加熱対応包装体に収納されたペットフードが開発されている（特許文献１）。
【先行技術文献】
【特許文献】
【０００９】
【特許文献１】特開２００３−１４４０５９号公報
【発明の概要】
【発明が解決しようとする課題】
【００１０】
しかしながら、特にウェットタイプのペットフードはカップ形状の容器に入っていることが多く、容器表面と中心部とが離れており、容器表面の最適温度で色相変化する材料が内容物の温度とずれた温度で変化することが懸念される。また、一般的な電子レンジでは電磁波の漏えいを防ぐために網目状の金属シールドが窓に取り付けられており、加熱中のペットフード容器の表面にある色の変化をペットの飼い主が確認するのは困難であり面倒
である。
【００１１】
これは、他の用途の内容物であっても同様である。
【００１２】
本発明は上記事情に鑑みてなされたものであり、ペットフードをペットの嗜好性が高まる様になどの理由により内容物を適温に加熱することが可能な加熱装置および容器および容器入りペットフードを提供することを目的とするものである。
【課題を解決するための手段】
【００１３】
本発明の加熱装置は、本体ケースには、少なくとも一つの容器入り内容物を収容できる前記容器の外面に沿った形状の金属製の収納具が、前記容器の外面と接する面を外側に向けて配置され、
前記金属製の収納具には前記容器が収容されたことを検出するセンサーがあり、
前記本体ケース内に、
前記収納具の外面を包むように配置された保温材と、
前記保温材中にあって、前記収納具の外面と近接する位置に配置された少なくとも一つのヒーターと、
前記ヒーターによって加熱された前記収納具の温度を測るための少なくとも一つの温度センサーと、
前記温度センサーからの出力値を元に前記ヒーターへの加温電流の供給を制御する温度制御部と、
設定した時刻にペットフードが所定温度に到達するように前記温度制御部に動作開始を命令するタイマー回路と、
を備え、
前記本体ケースの外側に、
設定温度やタイマーの設定時間を表示するディスプレイと、
加熱温度の設定やタイマーの時刻設定をするための操作スイッチと、
が配置された、
前記収納具からの熱伝導により、前記容器内の内容物を所定の温度に加熱可能な加熱装置である。
【００１４】
また、本発明の加熱装置は、前記本体ケースの外側には、さらに、
前記収納具に向き合う面に保温材が配置された蓋と、
前記蓋の保温材表面に少なくとも一つの温度センサーと、
が配置された加熱装置である。
【００１５】
また、本発明の加熱装置は、前記収納具が、
カップ形状の底部中央が盛り上がった断面がＷ型の形状である加熱装置である。
【００１６】
また、本発明の加熱装置は、前記所定の温度が、３０〜４０℃であることを特徴とする加熱装置である。
【００１７】
また、本発明の加熱装置は、前記ディスプレイが反射型表示体で構成にガラスを使用していないことを特徴とする加熱装置である。
【００１８】
また、本発明の容器は、カップ形状の底部中央が盛り上がった断面がＷ型の形状である容器である。
【００１９】
また、本発明の容器入りペットフードは、前記容器にペットフードの内容物が収納されていることを特徴とする容器入りペットフードである。
【発明の効果】
【００２０】
この加熱装置により収納具に収容された容器との接触面からの熱伝導により内容物を、収納している容器ごと加熱することが可能であり、例えば、内容物がペットフード等である場合、ペットフードをペットの嗜好性が高まる所定の温度に加熱することが可能になるものである。
【００２１】
また、前記本体ケース外部に時刻を任意に設定入力するタイマー入力部を設け、設定した時刻に内容物が所定温度に到達するようにヒーターへの加温電流の調整を行う制御回路を含むことで、内容物の利用時刻、例えばペットにペットフードを与える時刻に自動でペットフードの加熱が行えるものである。
【００２２】
また、前記収納具に容器を収容するとＯＮするスイッチがあり、容器が収納具に収容されていない状態ではタイマー入力部で設定した時刻に到達してもヒーターに加温電流が供給されないようにしてある。
【００２３】
また、本発明の加熱装置は、前記本体ケースの外側には、さらに、
前記収納具に向き合う面に保温材が配置された蓋と、
前記蓋の保温材表面に少なくとも一つの温度センサーと、
が配置された加熱装置とすることで、
この加熱装置により収納具に収容された容器との接触面からの熱伝導により内容物を、収納している容器の側面と底面のみならず蓋面からも加熱することが可能であり、例えば、内容物がペットフード等である場合、ペットフードをペットの嗜好性が高まる所定の温度にさらに良好に加熱することが可能になるものである。
【００２４】
また、本発明の加熱装置は、前記収納具が、
カップ形状の底部中央が盛り上がった断面がＷ型の形状である加熱装置とすることで、この加熱装置により収納具に収容された容器との接触面からの熱伝導により内容物を、収納している容器と収納具との接触面積が広くなる形状となっており、容器のカップ形状の底部中央が盛り上がった、断面がＷ型の形状とすることで、中央部分でも所定の温度にさらに良好に加熱することが可能になるものである。
【００２５】
また、本発明の加熱装置は、前記所定の温度が、３０〜４０℃とすることで、ペットの嗜好性が高まる所定温度とは、ペットが最もペットフードをよく食べるペットの種類や年齢などに特有のペットフードの適温のことで、具体的には３０℃〜４０℃であって、例えばペットが猫である場合の所定温度は約３７℃であることが好ましいものである。
【００２６】
また、本発明のペットフード加熱装置はタイマー入力した時刻を表示するディスプレイを備えているが、本発明の加熱装置は、前記ディスプレイが反射型表示体で構成にガラスを使用していないこととすることで、装置の設置場所が比較的暗い場所であることとペットが装置に噛みついたりした場合にディスプレイが破損してもガラス片などの飛散でペットを傷つける恐れが無いようにすることが可能になった。
【００２７】
特に、用いるディスプレイとして反射型表示で構成にガラスを使用していない電子ペーパーを好ましく挙げることができる。
【００２８】
また、本発明の容器は、カップ形状の底部中央が盛り上がった断面がＷ型の形状である容器により、収納具との接触面からの熱伝導により内容物を、収納している容器と収納具との接触面積が広くなる形状となり、容器のカップ形状の底部中央が盛り上がった、断面がＷ型の形状とすることで、中央部分でも所定の温度にさらに良好に加熱することが可能
になるものである。
【００２９】
また、本発明の容器にペットフードの内容物が収納されていることを特徴とする容器入りペットフードとすることで、飼い主の手を煩わせることなくペットフードを所定温度へ加熱することが可能となる。
【００３０】
また、タイマーで予め設定した時間にペットフードが所定温度に到達するように加熱開始することができ、朝の忙しい時間帯などでも直ぐに所定の温度に加熱されたペットフードをペットに与えることが可能となる。
【図面の簡単な説明】
【００３１】
【図１】本発明の第１の実施形態であるペットフード加熱装置の斜視図である。
【図２】本発明の第１の実施形態であるペットフード加熱装置の縦断面図である。
【図３】本発明の第１の実施形態であるペットフード加熱装置のブロック説明図である。
【図４】本発明の第２の実施形態であるペットフード加熱装置の斜視図である。
【図５】カップ形状の容器に収容されたペットフードの斜視図である。
【図６】本発明の第３の実施形態であるペットフード加熱装置の斜視図である。
【図７】本発明の第３の実施形態であるペットフード加熱装置の縦断面図である。
【図８】本発明の第４の実施形態であるペットフード容器の斜視図である。
【図９】本発明の第４の実施形態であるペットフード容器に封入されていたペットフードを皿に盛った形状を示す斜視図である。
【図１０】本発明のペットフード加熱装置に設置されるディスプレイの構成を示す縦断面図である。
【発明を実施するための形態】
【００３２】
以下に、本発明の実施形態を、内容物としてペットフードを用いた場合を用いて図面を参照しながら詳しく説明する。
【００３３】
（第１実施形態）
以下、本発明の第１の実施形態に係る加熱装置について、添付図面を参照しながら説明する。
【００３４】
図１は本発明のペットフード加熱装置の第１の実施形態を示す斜視図である。
【００３５】
プラスチックなどで形成された本体ケース１の上部には、カップ型のペットフード容器を収容できるペットフード容器の外面に沿った形状の収納具である金属製の加熱容器Ａ２があり、この加熱容器Ａ２の底部にはペットフード容器が収容されたことを検出するセンサー３がある。
【００３６】
また、本体ケース１の上部には設定温度やタイマーの設定時間を表示する液晶や電子ペーパーなどの表示素子を使ったディスプレイ４と、加熱温度の設定やタイマーの時刻設定などをするための操作スイッチ５がある。
【００３７】
図２は本発明のペットフード加熱装置の第１の実施形態を示す縦断面図である。
【００３８】
本体ケース１の内部には加熱容器Ａ２の側面を包むように保温材６が配置されている。この保温材としては、グラスウールや発泡スチロールや硬質ウレタンフォームや金属フィルムに多孔質素材を封入して真空パックした真空断熱材などが用いられる。
【００３９】
保温材６の中には加熱容器Ａ２の側面に近接する位置に、電流を流すことで加熱されるヒーター７が配置されており、ヒーターの熱で金属製の加熱容器全面が均一に温められるようになっている。
【００４０】
また、加熱容器Ａ２の側面にはヒーター７により温められた加熱容器Ａ２の温度を測定するために熱電対などの温度センサーＡ８が取り付けてある。この温度センサーで測定した加熱容器の温度測定値は温度制御部９に送られ、温度制御部９では加熱容器の温度が設定された温度に到達・維持するようにヒーターへの加温電流の量をＰＩＤ制御などで調整する。
【００４１】
また、タイマー設定した時刻にペットフードの所定温度への加熱が完了するように調整した時刻に前記温度制御部９に動作開始命令を出すタイマー回路１０があり、前日の夜などにペットフード容器を加熱容器Ａ２にセットしておけばタイマー設定してある翌朝の時刻にペットフードが所定の温度に加熱・保温されており、直ぐにペットにペットフードを与えることが可能となる。
【００４２】
（第２実施形態）
以下、本発明の第２の実施形態に係るペットフード加熱装置について、添付図面を参照しながら説明する。ここでは、第１実施形態との相違点を中心に説明し、第１実施形態と共通する機能等についての説明は省略する。
【００４３】
図４は本発明のペットフード加熱装置の第２の実施形態を示す斜視図である。本体ケース１の上部には、カップ型のペットフード容器を収容できるペットフード容器の外面に沿った形状の金属製の加熱容器Ａ２があり、前記加熱容器の開放側を覆うように開閉式の蓋１２が取り付けてある。
【００４４】
また、この蓋１２の前記加熱容器Ａ２と向き合う面には温度センサーＢ１３があり、カップ型のペットフード容器を加熱容器Ａ２に収容し蓋１２を閉じると、ペットフード容器の上部の温度を測定することができる。
【００４５】
蓋１２の内部には保温材６が入れてあり、蓋１２を閉じた状態でペットフード容器を加熱した際に放熱を低減することができ、短時間で効率的に所定の温度にペットフードを加熱する事が可能となる。また、加熱用ヒーターから離れた位置でペットフードの温度を測定することで、正確にペットフードの温度を所定の温度に加熱することが可能となる。
【００４６】
（第３実施形態）
以下、本発明の第３の実施形態に係るペットフード加熱装置について、添付図面を参照しながら説明する。ここでは、第１実施形態および第２実施形態との相違点を中心に説明し、第１実施形態および第２実施形態と共通する機能等についての説明は省略する。
【００４７】
図６は本発明のペットフード加熱装置の第３の実施形態を示す斜視図である。第３の実施形態におけるペットフード加熱装置は、第１の実施形態のペットフード加熱装置における加熱容器Ａ２に代わって、熱伝導によって効率的にペットフード容器内のペットフードを加熱するために、ペットフード容器との接触面積が広くなる、カップ形状の底部中央が盛り上がった断面がＷ型の形状である加熱容器Ｂ１４を有する。
【００４８】
図７は本発明のペットフード加熱装置の第３の実施形態を示す縦断面図である。本体ケース１の内部には断面がＷ型となっている加熱容器Ｂ１４の側面を包むように保温材６が配置されている。
【００４９】
保温材６の中には加熱容器Ｂ１４の側面に近接する位置に、電流を流すことで加熱されるヒーター７が配置されている。さらに、加熱容器Ｂ１４の底部中央の盛り上がった部分の内側面にもヒーター７が配置されている。そのため、ヒーターの熱が容器中のペットフードに伝わりやすくなり、効率よくペットフードを所定の温度に加熱することが可能となる。
【００５０】
図１０は本発明のペットフード加熱装置のディスプレイ部に使う反射型表示体２０の構成を示す断面図である。ペットフィルムなどの透明フィルム２１にＩＴＯなどの透明電極２２が共通電極として形成されており、その表面に帯電した白黒の泳動粒子が封入されたマイクロカプセル２４がアクリルやウレタンなどの透明なバインダー２３で均一に塗布されたマイクロカプセル層がある。
【００５１】
マイクロカプセル層の透明電極２２と対向する面には電解質などを混ぜて導電性を持たせたアクリルやウレタンなどの導電性接着剤層２５があり、デジタル表示の数字の形をした銅などの金属箔による画素電極２６が表面に形成されたポリイミドなどの基材フィルム２９と接着してある。基材フィルムには銅などでメッキされたコンタクトホール２７があり基材フィルムの裏面にある配線電極２８と電気的に接続されている。
【００５２】
透明電極２２と配線電極２８に電源から直流電圧を印加すると、マイクロカプセル内の白黒の帯電粒子が印加した電圧の正負に応じて移動し白または黒の表示色となる。
【００５３】
反射型表示体２０の構成材はプラスチックフィルムや金属箔などのため衝撃を与えてもガラスのように割れて飛散することが無い。
【００５４】
（第４実施形態）
以下、本発明の第４の実施形態に係るペットフード容器について、添付図面を参照しながら説明する。
【００５５】
図８は本発明のペットフード容器を示す斜視図である。カップ型容器の底部中央が盛り上がった断面がＷ型の形状となっている。この形状のペットフード容器は本発明の第３の実施形態のペットフード加熱装置の加熱容器Ｂ１４の形状と接触する表面積が大きく、ヒーターからの熱を効率よくペットフード容器中のペットフード中央に伝えることができる。
【００５６】
また、このペットフード容器に封入されていたペットフード１６は皿１５などに盛ると図９に示すように中央が窪んだ台形（断面がＭ型）となり、口が小さい動物でも食べやすい形状とする効果も得られる。
【符号の説明】
【００５７】
１    本体ケース
２    加熱容器Ａ
３    センサー
４    ディスプレイ
５    操作スイッチ
６    保温材
７    ヒーター
８    温度センサーＡ
９    温度制御部
１０  タイマー回路
１１  電池
１２  蓋
１３  温度センサーＢ
１４  加熱容器Ｂ
１５  皿
１６  ペットフード
２０  反射型表示体
２１  透明フィルム
２２  透明電極
２３  バインダー
２４  マイクロカプセル
２５  導電性接着剤層
２６  画素電極
２７  コンタクトホール
２８  配線電極
２９  基材フィルム
【図１】
2016101215.tif 000003
【図２】
2016101215.tif 000004
【図３】
2016101215.tif 000005
【図４】
2016101215.tif 000006
【図５】
2016101215.tif 000007
【図６】
2016101215.tif 000008
【図７】
2016101215.tif 000009
【図８】
2016101215.tif 000010
【図９】
2016101215.tif 000011
【図１０】
2016101215.tif 000012